(57)【要約】医療用デバイス（１００）は、インスリンペン（１０２）と、ペンニードル（１０４）と、力センサー（１０６）とを含む。また、デバイスは、力センサー（１０６）から信号を受け取るためのマイクロプロセッサー（２０６）を含む。聴覚的および／または視覚的インジケーター（２１８、２２０）は、適正な注射技術を促すために、ユーザーにフィードバックを提供する。また、デバイスは、センサーハウジング（３０６）と、センサーハウジングの中の第１のセンサー（３０４）と、トランスファーニードルアッセンブリ（３０８）とを含むアダプターアッセンブリを含んでもよく、トランスファーニードルアッセンブリは、ペンニードルのための接続部（３１０）を提供し、ペンニードル（３１２）とインスリンペン（３０２）との間の流体導管を提供する。第２の力センサー（３１４）は、インスリンペン（３０２）の親指ボタンに関連付けられている。
2020532358.tif 000002
【特許請求の範囲】
【請求項１】
ペンニードルが取り付けられているインスリンペンと、
前記ペンニードルのハブ面上に配置された力センサーと、
前記力センサーから信号を受け取るマイクロコントローラーと、
前記マイクロコントローラーによって制御される聴覚的インジケーターおよび視覚的インジケーターのうちの少なくとも１つと、
を含む、医療用デバイス。
【請求項２】
前記力センサーのアナログ信号を増幅するための増幅器と、増幅された前記信号をデジタルに変換するためのアナログ−デジタルコンバーターと、をさらに含む、請求項１に記載の医療用デバイス。
【請求項３】
前記マイクロコントローラーに電力を供給する電源をさらに含む、請求項１に記載の医療用デバイス。
【請求項４】
前記電源からの電力を制御するための電圧調整器と、バッテリーの充電を制御するための充電管理コントローラーと、をさらに含む、請求項３に記載の医療用デバイス。
【請求項５】
前記バッテリーは、再充電可能なバッテリーである、請求項４に記載の医療用デバイス。
【請求項６】
前記マイクロコントローラーを外部デバイスに接続するための、および、バッテリーを充電するための電力を受け取るための、ＵＳＢポートをさらに含む、請求項１に記載の医療用デバイス。
【請求項７】
前記力センサーから受け取るデータに基づいてルールにしたがうための、および、前記力センサーによって測定された加えられた力に基づいて前記少なくとも１つのインジケーターを介してフィードバックを提供するための、プログラムインストラクションを含有するメモリーをさらに含む、請求項１に記載の医療用デバイス。
【請求項８】
医療用デバイスであって、
ペンニードル取り付け部分においてペンニードルを受け入れるためのインスリンペンと、
前記インスリンペンの取り付け部分に取り付けられるアダプターアッセンブリであって、前記アダプターアッセンブリの反対側端部にペンニードルを受け入れ、
前記アダプターアッセンブリは、第１の力センサーと、センサーハウジングと、前記ペンニードルおよび前記インスリンペンの間に流体導管を提供するトランスファーニードルアッセンブリとを含む、アダプターアッセンブリと、
前記インスリンペンの親指ボタンに関連付けられる第２の力センサーと、
を含む、医療用デバイス。
【請求項９】
前記第１の力センサーおよび前記第２の力センサーから信号を受け取るマイクロプロセッサーをさらに含む、請求項８に記載の医療用デバイス。
【請求項１０】
電源をさらに含む、請求項８に記載の医療用デバイス。
【請求項１１】
前記第１の力センサーは、皮膚に対する前記ペンニードルの力を測定し、前記第２の力センサーは、前記親指ボタンに加えられる力を測定する、請求項８に記載の医療用デバイス。
【請求項１２】
聴覚的インジケーターおよび視覚的インジケーターのうちの少なくとも１つをさらに含む、請求項８に記載の医療用デバイス。
【発明の詳細な説明】
【技術分野】
【０００１】
本明細書は、適切な注射技術の上達および正確なニードル挿入深さの促進のために、薬剤注射の間に皮膚表面に加えられる力を検出して示すためのシステムおよび方法を開示する。代替的実施形態は、用量投与の間にペンシステム注射器ボタンに加えられる力を捕捉するために、追加のセンサーを組み込む。
【背景技術】
【０００２】
糖尿病を管理する患者の大部分は、インスリン投与のためにシリンジまたはペンデバイスを利用しており、皮下組織への一貫した送達に関して適切な注射技術およびデバイス性能に依存している。不快感／痛みを引き起こす不適切な技術は、治療のアドヒアランスに影響を与える可能性がある。全用量の不完全な送達（漏出）、皮内の（浅い）または筋肉内の（深い）送達、および、脂肪肥大組織内への注入をもたらす不十分な技術は、一貫しない血糖コントロールにつながり、短期間および長期間の糖尿病関連の合併症に寄与する。自己注射の指導は、治療の開始時に提供されるのみであることが多い。結果的に、技術の上達は、極度に患者に依存し、心理的または物理的な障壁に起因して、最適でない方法をもたらす可能性がある。注射を実施する親および介護者は、直接的な感覚のフィードバックが不可能であるため、明らかに不利な立場にある。
【発明の概要】
【発明が解決しようとする課題】
【０００３】
現在の注射システムは、適切な加えられる力に関する情報をユーザーに提供しない。また、ペンニードルハブ、付与される力、および、要求される注射深さの間の機械的な関係が存在し、この種の情報が必要とされている。
【課題を解決するための手段】
【０００４】
本発明の実施形態は、標的組織内の一貫したニードル深さの配置を促進するための適切な注射技術の上達および維持のために、糖尿病および他の医療の教育者、介護者、ならびに患者に実用的なツールを提供する。例示的な実施形態によるシステムは、加えられる挿入力／付与される力を測定および理解することによって、最適化された注射デバイス（ペン、自動注射器、ペンニードル、シリンジ）を開発するための意味のある方法をさらに提供する。本発明の実施形態は、作用する力を測定し、それをシステム機能、患者受容性、好み、および他の人的要因と同等にするための、臨床的に有用なツールを提供する。最後に、フィードバック制御ループを使用することによって、本発明の実施形態は、（たとえば、光インジケーター、サウンドインジケーター、または振動インジケーターによって）適当な力がデバイスに加えられているときに信号を送ること、あるいは、システムの力が適切な範囲内になるまで使用を防ぐロックアウトを作ることのいずれかによって、適切な使用を促進することができる。
【０００５】
本発明の実施形態は、添付の図面に関連して説明される。
【図面の簡単な説明】
【０００６】
【図１Ａ】本発明の第１の実施形態の分解図である。
【図１Ｂ】図１Ａのペンニードルハブ上の力センサーの詳細図である。
【図２】本発明の例示的な実施形態による信号処理回路のブロック図である。
【図３】２つの力センサーを備えた本発明の別の実施形態を示す図である。
【図４Ａ】親指および皮膚に加えられた力を示す経時的な力のグラフである。
【図４Ｂ】親指および皮膚に加えられた力を示す経時的な力のグラフである。
【図４Ｃ】親指および皮膚に加えられた力を示す経時的な力のグラフである。
【図４Ｄ】親指および皮膚に加えられた力を示す経時的な力のグラフである。
【図４Ｅ】親指および皮膚に加えられた力を示す経時的な力のグラフである。
【図４Ｆ】親指および皮膚に加えられた力を示す経時的な力のグラフである。
【図４Ｇ】親指および皮膚に加えられた力を示す経時的な力のグラフである。
【図４Ｈ】親指および皮膚に加えられた力を示す経時的な力のグラフである。
【図４Ｉ】親指および皮膚に加えられた力を示す経時的な力のグラフである。
【発明を実施するための形態】
【０００７】
図面の全体を通して、同様の参照数字は、同様の要素、特徴、および構造を表すものと理解されるべきである。
【０００８】
ここで、本発明の例示的な実施形態が、添付の図面を参照して説明される。本明細書で説明されている実施形態は、単なる例示に過ぎず、本発明の実施形態の製造法および使用法を当業者に図示する役割を果たすが、さまざまな変更および修正が、本発明の範囲および精神から逸脱することなく、本明細書で説明されている実施形態に行われ得ることが認識されるべきである。
【０００９】
図１Ａおよび図１Ｂに図示されているように、本発明の第１の実施形態は、ペンニードル１０４および力センサー１０６を備えたインスリンペン１０２を含むデバイス１００である。力センサー１０６は、好ましくは、ペンニードル１０４のハブ面１０８上に配置される。インスリンペンが使用されるとき、ペンニードル１０４は、皮膚表面に押し付けられ、力センサー１０６は、物理的な刺激の変化を電気信号に変換する。電気信号は、好ましくは、信号調整回路などによって、力値などの機械的な量へと調整および変換され、およびマイクロコントローラーへ転送される。ここで、力値は、アルゴリズムまたはプロセスへの入力としての役割を果たしてもよい。
【００１０】
図２は、本発明の実施形態による処理回路の例示的なブロック図を示す。処理回路は、好ましくは、図１Ａおよび図１Ｂに図示されているデバイス１００の中に物理的に組み込まれるが、本明細書で説明される処理回路の構成要素のうちの１つまたは複数が、別個のデバイスの中に配置され得ることを当業者は容易に認識するであろう。図２の処理回路２００は、好ましくは、力センサー１０６と、力センサー１０６から受けた生の信号を増幅するための信号増幅器２０２と、アナログ−デジタルコンバーター２０４と、力センサーからの力値を表す変換されたデジタル信号を受け取るマイクロコントローラー２０６とを含む。また、処理回路は、好ましくは、電源２０８を含み、電源２０８は、好ましくは、コインバッテリーからマイクロコントローラー２０６に電力を供給するためのＤＣ−ＤＣコンバーター２１０などを含む。また、電源２０８は、好ましくは、ＬｉＰＯバッテリーなどのような再充電可能なバッテリー（図示せず）、ならびに、関連する電圧調整器２１２および充電管理コントローラー２１４を含む。また、好ましくは、処理回路は、処理回路２００を他のデバイスに接続するための、および、再充電可能なバッテリーを充電するための、ＵＳＢポート２１６などを含む。また、処理回路２００は、好ましくは、ユーザーに表示を出力するための、ＬＥＤインジケーター２１８といった視覚的インジケーターおよび聴覚的インジケーター２２０を含む。
【００１１】
マイクロコントローラー２０６は、好ましくは、実行のためのプログラムインストラクションを含有するメモリー２２２を含むか、または、それに関連付けられる。プログラムインストラクションは、有利には、力センサーから受け取ったデータに基づいて一連のルールにしたがうように提供されてもよく、また、測定された加えられた力に基づくフィードバックを視覚的インジケーションおよび／または聴覚的インジケーションを介して介護者に提供するように提供されてもよい。
【００１２】
第２の例示的な実施形態が、図３に図示される。第２の実施形態は、デバイス３００が１つではなく２つのロードセンサーを含むことを除いて、第１の実施形態と同様である。この実施形態は、任意の標準的なインスリンペン３０２の端部上に組み込まれ得る、アダプターアッセンブリ３００を含む。アッセンブリ３００は、ドーナツ形状のロードセルなどの力センサー３０４と、センサーハウジング３０６と、トランスファーニードルアッセンブリ３０８とを含む。アダプターアッセンブリ３００は、好ましくは、標準的なインスリンペンにねじ止めされ、ペンニードル３１２に対する接続部３１０を提供する。力センサー３０４は、注射手順の間に皮膚表面に加えられる力を測定する。また、デバイス３００は、親指ボタン３０８に関連付けられ、ペンシステムを通して薬剤を送達するために加えられる力を測定する、ロードセンサー３１４を含む。処理回路および電源は、アダプターアッセンブリの中へ組み込まれてもよく、または、接続部は、それらの構成要素を収容する外部デバイスに提供されてもよい。このように、注射力を測定することができ、フィードバックが、任意の標準的なインスリンペンのユーザーに提供され得る。
【００１３】
図４Ａ〜図４Ｉは、第２の実施形態によるデバイスから記録されたデータを図示する。図示されるように、２つのロードセンサーが、デバイスに組み込まれており、１つは、親指ボタンの上にあり、１つは、コネクターアダプター内にある。２つのセンサーによって時間の経過とともに測定される力が、図にプロットされている。図示されるように、この特定の注射に関して、皮膚に加えられる力は、即座に測定され、半安定レベルに保持され、ペンシステムから注射部位へ注入物を送達するために必要とされる親指の力の測定がそれに続く。流体送達が完了すると、加えられた親指の力が止められる。デバイスは、流体送達後５〜１０秒にわたって皮膚表面に保持され、注射部位からの漏出を最小化する。注射手順の終わりに、インスリンペンが、ユーザーから引き抜かれる。
【００１４】
当業者によって認識されるように、注射の間にインスリンペンまたはその構成要素に存在する力を記録することによって、注射の分析を行うことができ、フィードバックが導出され、ユーザーに提供され得る。たとえば、そのようなデータは、ユーザーが十分な力を使用していないこと、または、親指ボタンが押された後に十分に長い持続期間の間インスリンペンを注射部位に保持していないことを明らかにするであろう。
【００１５】
デバイスの好適な実施形態は、ペンニードルハブ面の中またはペンニードルハブ面上に一体化された力センサーを有する。電気的な接続部が、ペンニードルハブ内に提供され、力センサーに電力を提供し、力の信号が、さらなる処理のために獲得される。処理回路および電源は、好ましくは、ペンシステム本体部の内側に提供されている。
【００１６】
第２の実施形態は、ペンニードルハブの中またはペンニードルハブ上に一体化された力センサーを含み、インスリンペンの外部の別個のハウジングに接続されるように構成されたフレックス回路リード線を伴う。電源および処理回路は、好ましくは、外部ハウジングの中に配置される。外部ハウジングは、アドオン式デバイスとしてインスリンペンにフィットするように構成されている。
【００１７】
当業者によって認識されるように、本明細書で説明されるいかなる実施形態も、データ可視化およびストレージのための関連のソフトウェアアプリケーションによって、ＣＰＵ、タブレット、電話機、および／または腕時計などの耐久性のある媒体へ、優先媒体または無線媒体を介したデータ転送を可能にする回路コンポーネントを組み込んでもよい。
【００１８】
また、本発明の実施形態は、ペンニードルデバイスに関連して説明されてきたが、皮膚または他の生理学的表面との直接的な接触を必要とする任意の適切な注射または薬物送達システムが、本明細書で概説される原理および特徴を利用することができることを当業者は認識するであろう。
【００１９】
最後に、開示された実施形態に対する変更が、特許請求の範囲に定義されるような本発明およびそれらの均等物の範囲を逸脱することなく可能であるということ、ならびに、異なる実施形態の特徴および請求項を、それらが互いに矛盾しない限り、互いに組み合わせてもよいことを当業者は認識するであろう。
【図１Ａ】
2020532358.tif 000003
【図１Ｂ】
2020532358.tif 000004
【図２】
2020532358.tif 000005
【図３】
2020532358.tif 000006
【図４Ａ】
2020532358.tif 000007
【図４Ｂ】
2020532358.tif 000008
【図４Ｃ】
2020532358.tif 000009
【図４Ｄ】
2020532358.tif 000010
【図４Ｅ】
2020532358.tif 000011
【図４Ｆ】
2020532358.tif 000012
【図４Ｇ】
2020532358.tif 000013
【図４Ｈ】
2020532358.tif 000014
【図４Ｉ】
2020532358.tif 000015
【国際調査報告】
2020532358.tif 000016